(57)【特許請求の範囲】
【請求項１】
光レセプタクルとの結合部分である第１結合部と、前記第１結合部から先端が露出されるように配設された第１光ファイバと、を具備する光コネクタに機械的に結合される光レセプタクルであって、
前記光コネクタと結合される第２結合部が前記第１結合部と嵌合可能な形状であり、且つ第１位置と、第１方向を軸とした軸上で前記第１位置と離間した第２位置と、の間で可動である、可動部と、
前記可動部が前記第１、第２位置間で可動なように前記可動部を覆い、且つ前記可動部の前記第２結合部に対応した位置に開口部を有する、固定部と、
前記固定部内に配設され、且つ前記可動部を前記第２位置から前記第１位置へと付勢する弾性部材と、
前記光コネクタと前記可動部とが結合された状態において、前記第１光ファイバと光学的に結合されるように前記可動部内に配設された第１光素子と、
前記可動部内に配設され、且つ一部が前記可動部から露出された第１接触部を有し、且つ前記光素子と電気的に接続された第１接続端子と、
前記可動部が前記第２位置に位置するときに前記第１接触部と接触する第２接続端子と、
を具備し、
前記光コネクタと前記可動部とが結合される際に前記光コネクタにより加えられる圧力により、前記可動部が前記第１位置から前記第２位置へと移動することを特徴とする光レセプタクル。
【請求項２】
前記光素子は、受光素子または発光素子であることを特徴とする請求項１に記載の光レセプタクル。
【請求項３】
前記可動部は、透明樹脂により構成されることを特徴とする請求項１に記載の光レセプタクル。
【請求項４】
前記可動部内に配設され、且つ一部が前記可動部から露出された第２接触部を有し、且つ前記光素子と電気的に接続された、第３接続端子を更に具備し、
前記弾性部材は、導電性であって、且つ前記第３接続端子と接触する
ことを特徴とする請求項１に記載の光レセプタクル。
【請求項５】
前記可動部の前記第２結合部は、全面または略中央の一部が凹形状を有することを特徴とする請求項１に記載の光レセプタクル。
【請求項６】
前記前記可動部の前記第２結合部は、前記光コネクタと結合された際に前記光ファイバの先端が位置する位置に対応した切り欠け部を有することを特徴とする請求項１に記載の光レセプタクル。
【請求項７】
機械的に結合される光コネクタと光レセプタクルとを具備する結合装置であって、
前記光コネクタは、
前記光レセプタクルとの結合部分である第１結合部と、
前記第１結合部から先端が露出されるように配設された第１光ファイバと、
を具備し、
前記光レセプタクルは、
前記光コネクタと結合される第２結合部が前記第１結合部と嵌合可能な形状であり、且つ第１位置と、第１方向を軸とした軸上で前記第１位置と離間した第２位置と、の間で可動である、可動部と、
前記可動部が前記第１、第２位置間で可動なように前記素子収納器を覆い、且つ前記素子収納器の前記第２結合部に対応した位置に開口部を有する、固定部と、
前記固定部内に配設され、前記可動部を前記第２位置から前記第１位置へと
付勢する弾性部材と、
前記光コネクタと前記可動部とが結合された状態において、前記第１光ファイバと光学的に結合されるように前記可動部内に配設される第１光素子と、
前記可動部内に配設され、且つ一部が前記可動部から露出された第１接触部を有し、且つ前記光素子と電気的に接続される第１接続端子と、
前記可動部が前記第２位置に位置するときに前記接触部と接触する第２接続端子と、
を具備し、
前記光コネクタと前記可動部とが結合される際に前記光コネクタにより加えられる圧力により、前記可動部が前記第１位置から前記第２位置へと移動することを特徴とする結合装置。
【請求項８】
前記光素子は、受光素子または発光素子であることを特徴とする請求項７に記載の結合装置。
【請求項９】
前記可動部は、透明樹脂により構成されることを特徴とする請求項７に記載の結合装置。
【請求項１０】
前記結合装置は、前記可動部内に配設され、且つ一部が前記可動部から露出された第２接触部を有し、且つ前記光素子と電気的に接続された、第３接続端子を更に具備し、
前記弾性部材は、導電性であって、且つ前記第３接続端子と接触する
ことを特徴とする請求項７に記載の結合装置。
【請求項１１】
前記第１光素子は受光素子であって、
前記光コネクタは、先端が前記第１結合部から露出されるように配設された第２光ファイバを更に具備し、
前記可動部は、前記光コネクタと前記可動部とが結合された状態において、前記第２光ファイバと光学的に結合されるように前記可動部内に配設された発光素子をさらに具備する
ことを特徴とする請求項７に記載の結合装置。
【請求項１２】
前記光コネクタの前記第１結合部は、先端の全面または略中央の一部が鋭角の凸形状を有することを特徴とする請求項７に記載の結合装置。
【請求項１３】
前記前記可動部の前記第２結合部は、前記光コネクタと結合された際に前記光ファイバの先端が位置する位置に対応した切り欠け部を有することを特徴とする請求項７に記載の結合装置。
【発明の詳細な説明】
【０００１】
【発明の属する技術分野】
本発明は、例えば光レセプタクル、および光ファイバを有する光コネクタと光レセプタクルとを有する結合装置に関し、詳しくは、前記光レセプタクルおよび結合装置の接続性、省電力性に関する。
【０００２】
【従来の技術】
プラスチックファイバを用いた伝送機器、センサなどに使用される光レセプタクルおよび、この光レセプタクルと結合されるプラグ型の光コネクタにより構成される、結合装置が知られている。光レセプタクルは、半導体素子等から構成される光送信器と光受信器を有する。光コネクタは、光ファイバを有しており、光ファイバは光コネクタ内に保持される。光コネクタと光レセプタクルとが機械的に結合されることにより、光ファイバと光送信器および光受信器とが光学的に結合される。この結果、光コネクタと光レセプタクルとの間で光信号が授受される。
【０００３】
図８は、結合装置の第１の従来例を概略的に示す図である。光コネクタ１０１は、２つの保持部１０２を有しており、各保持部１０２内に光ファイバ１０３が設けられる。光ファイバ１０３は、１つの保持部材（図示せぬ）により保持される。光レセプタクル１１０は、光コネクタ１０１の保持部１０２に対応した被挿入部１１１を有する。被挿入部１１１内の奥に、発光ダイオード等の発光素子１１２ａ、フォトダイオード等の受光素子１１２ｂからなる光素子１１２が設けられる。光素子１１２は、保持部材（図示せぬ）により光レセプタクル１１０に保持される。光素子１１２は、光コネクタ１０１と光レセプタクル１１０が結合された際に、光ファイバ１０３と光学的に結合されるように設けられる。光素子１１２は、配線１１６を介して送信回路１１４、受信回路１１５とそれぞれ接続される。送信回路１１４と受信回路１１５は配線１１６により相互に接続される。
【０００４】
第１の従来例では、１つの保持部材により２本の光ファイバ１０３を保持しているため、各光ファイバ１０３に対して保持部材を設ける場合に比べて、製造コストを低下することができる。
【０００５】
ところで、結合装置を用いた機器に対する低価格化、小型化が要求されており、これに従い、結合装置も低価格化、小型化が検討されてきた。さらに近年は、バッテリ駆動にも耐えられる程度の、大幅な低消費電力の要求が高まっている。
【０００６】
第１の従来例にて、低消費電力を実現するため、以下のような方策を採る例がある。すなわち、光コネクタ１０１と光レセプタクル１１０とが非結合状態のとき、受信回路１１５は光ファイバ１０３から信号を受信していないことを検知する。受信回路１１５は、この旨の信号を送信回路１１４に送信するとともに、省電力モードに移行する。送信回路１１４は、この信号を受けることにより、省電力モードに移行する。これにより、送信回路１１４および受信回路１１５での消費電力が低減することができる。
【０００７】
図９は、結合装置の第２の従来例を概略的に示す図である。図９に示すように光レセプタクル１１０は、光コネクタ１０１が挿入される部分に対応してセンサ１２１が設けられる。このセンサ１２１は、送信回路１１４および受信回路１１５と配線により接続されており、光コネクタ１０１が非結合状態であることを検知し、その旨の信号を送信回路１１４および受信回路１１５に送信する。送信回路１１４および受信回路１１５は、この信号を受けて待機状態とされる。この例によれば、待機状態での消費電流は、第１の従来例より小さくすることができる。
【０００８】
図１０は、結合装置の第３の従来例を概略的に示す図である。図１０に示すように、光コネクタ１３１は、光素子１１２が内部に設けられた端子部１３２を有する。光コネクタ１３１の内部には、光ファイバ１０３の先端部を含む一部分が設けられ、光ファイバ１０３の端部は光素子１１２と対向する。光素子１１２と端子部１３２は電気的に接続される。光コネクタ１３１が光レセプタクル１３４と結合されることによって、光素子１１２に通電される。したがって、光コネクタ１３１と光レセプタクル１３４とが非結合状態のとき、光素子１１２内の消費電力を完全に零とすることができる。
【０００９】
【発明が解決しようとする課題】
ところで、第１の従来例の結合装置では、省電力モードにおいても、省電力モードから通常モードに移行するためのシステムが必要である。このため、受信回路１１５は、光信号を検知できるような待機状態とされている。さらに、光コネクタが結合されてはいるが、光信号の入力が無い場合にも対応するために、発光素子１１２ａを定期的に発光させている。すなわち、光コネクタ１０１が結合された場合、光コネクタ１０１と配線等を介して設けられたもう一方の光コネクタと接続された光レセプタクルは、発光を受けるとともに受光素子１１２ｂに光信号を送信する。受信回路１１５は、この信号に応じて、通常モードに移行する。したがって、省電力モードでも、上記動作を行うのに必要な電流が流れており、電流を零とすることはできない。さらに、送信回路１１４および受信回路１１５において、通常の、送受信信号を処理するための回路のほかに、上記した動作を行うための論理回路が必要となる。したがって、回路が大型、複雑化する。
【００１０】
第２の従来例の結合装置では、センサ１２１を追加する必要があるため第１の従来例に比べ、製造コストが増大するとともに、光コネクタ１０１が大型化する。
【００１１】
さらに、第３の従来例の結合装置では、上記したように光コネクタ１３１内に光素子１１２を設けているため、光コネクタ１３１が大型化する。また、光コネクタ１３１の内部で、光ファイバ１０３と光素子１１２とを適切に結合させるための部品、位置出しの工程が必要となり、その精度を向上させることも求められる。このため、光コネクタ１３１の製造コストが増大する。したがって、消費電力の効果は大きいが、実現されている実例は希少である。
【００１２】
結合装置は、また、その精度を向上させることも求められる。
【００１３】
第１の従来例では、図８から分かるように、光ファイバ１０３の先端部と光素子１１２が設けられる、例えば透明樹脂との間の距離ｚ１を小さくすることができる。このため、効率的に光の授受を行うことができる。
【００１４】
一般に、光ファイバ１０３の端面と光素子１１２との位置関係は、光コネクタ１０１の寸法と光レセプタクル１１０の寸法とによって決定される。すなわち、距離ｚ１は、光コネクタ１０１の保持部１０２の寸法Ｌｃと、光レセプタクル１１０の挿入部１１１の寸法Ｌｒとによって決まる。このため、これら寸法ＬｃおよびＬｒの公差により、距離ｚ１がばらつく。例えば各寸法ＬｃおよびＬｒの公差が±０．０５の場合、距離ｚ１は最大±０．１０ばらつく。
【００１５】
また、光軸と垂直方向においては、図示せぬ保持部材のピッチ寸法、光レセプタクル１１０のピッチ寸法、光素子１１２の保持部材の寸法、光素子１１２の寸法により、光ファイバ１０３と光素子１１２の光軸がずれる。例えば、上記４つの各寸法の公差が±０．０５の場合、光軸のずれは最大で±０．２０となる。
【００１６】
図１１は、結合装置の第４の従来例を概略的に示す図である。光コネクタ１４１は、光ファイバ１０３を保持するための保持部１４２を有する。この保持部１４２は、光ファイバ１０３ごとに設けられており、この例では、２つ設けられる。保持部１４２は、スプリング１４３により光コネクタ１４１に保持されており、可動となっている。保持部１４２内には、光ファイバ１０３が形成される。
【００１７】
第４の従来例の結合装置によれば、各光ファイバ１０３に対して保持部１４２がそれぞれ設けられている。したがって、光ファイバ１０３と光素子１１２との結合精度を高くすることができる。光軸方向における光ファイバ１０３と光素子１１２との距離は、寸法ｚ２により決まり、その公差は一般に±０．０１以下である。また、光軸と垂直方向においては、保持部１４２がスプリング１４３により可動であるため、光素子の保持部１４２の寸法、光素子１１２の寸法により、光軸のずれがほぼ決定される。実際は、公知の技術等を用いて結合精度を上げており、第４の従来例では、距離ｚ２のずれ、光軸のずれは問題となっておらず、結合精度は高い。しかしながら、第１の従来例に比べ、多くの部品を必要とするため、コストが増大する。
【００１８】
本発明は、上記課題を解決するためになされたものであり、その目的とするところは、非結合時の消費電力を低減するとともに、低価格で高い結合精度を実現可能な光レセプタクルおよび結合装置を提供しようとするものである。
【００１９】
【課題を解決するための手段】
本発明の光レセプタクルは、上記課題を解決するため、光レセプタクルとの結合部分である第１結合部と、前記第１結合部から先端が露出されるように配設された第１光ファイバと、を具備する光コネクタに機械的に結合される光レセプタクルであって、前記光レセプタクルは、前記光コネクタと結合される第２結合部が前記第１結合部と嵌合可能な形状であり、且つ第１位置と、第１方向を軸とした軸上で前記第１位置と離間した第２位置と、の間で可動である、可動部と、前記可動部が前記第１、第２位置間で可動なように前記可動部を覆い、且つ前記可動部の前記第２結合部に対応した位置に開口部を有する、固定部と、前記固定部内に配設され、且つ前記可動部を前記第２位置から前記第１位置へと付勢する弾性部材と、前記光コネクタと前記可動部とが結合された状態において、前記第１光ファイバと光学的に結合されるように前記可動部内に配設された第１光素子と、前記可動部内に配設され、且つ一部が前記可動部から露出された第１接触部を有し、且つ前記光素子と電気的に接続された第１接続端子と、前記可動部が前記第２位置に位置するときに前記第１接触部と接触する第２接続端子と、を具備し、前記光コネクタと前記可動部とが結合される際に前記光コネクタにより加えられる圧力により、前記可動部が前記第１位置から前記第２位置へと移動することを特徴とする。
【００２０】
更に、本発明に係る実施の形態には種々の段階の発明が含まれており、開示される複数の構成要件における適宜な組み合わせにより種々の発明が抽出され得る。例えば、実施の形態に示される全構成要件から幾つかの構成要件が省略されることで発明が抽出された場合、その抽出された発明を実施する場合には省略部分が周知慣用技術で適宜補われるものである。
【００２１】
【発明の実施の形態】
以下に本発明の実施の形態について図面を参照して説明する。なお、以下の説明において、略同一の機能及び構成を有する構成要素については、同一符号を付し、重複説明は必要な場合にのみ行う。
【００２２】
（第１の実施形態）
図１（ａ）、（ｂ）は、本発明の第１の実施形態に係る結合装置を概略的に示す断面図である。図１（ａ）は、平面における断面図であり、図１（ｂ）は、図１（ａ）のＩＢ−ＩＢ線に沿った断面図である。図１（ａ）、（ｂ）に示すように、結合装置１は、光コネクタ２および光レセプタクル３を有する。光コネクタ２は光レセプタクル３との結合部１１を有し、この結合部１１は平面において全面が凸形状とされている。この凸形状の先端部の角度θ１は例えば約１２０°とされる。光コネクタ２は、例えば２本の光ファイバ１２を有している。光ファイバ１２は、図示せぬ保持部材等により光コネクタ２に保持される。光ファイバ１２の先端部は、光コネクタ２の結合部１１に位置しており、例えば結合部１１と同一の形状を有するように切断、加工されている。
【００２３】
光レセプタクル３は、固定部２１を有する。固定部２１は、光コネクタ２が挿入される部分に対応した開口部２２を有する。開口部２２の奥には、開口部２２と連通された内部空間２３を有する。この内部空間２３は、開口部２２の面積より大きく形成される。
【００２４】
内部空間２３内には、可動部２４が形成される。可動部２４は、例えば内部空間２３の同様の形状を有し、且つ開口部２２の位置と対応した結合部２５が、光コネクタ２の結合部１１と略同一の形状を有する。すなわち、結合部２５の先端部は、凹形状であり、角度θ２は例えば約１２０°とされる。内部空間２３の背面と、可動部２４の背面との間には、空隙部２６が形成される。可動部２４は、例えば透明性の樹脂により形成される。
【００２５】
可動部２４は、内部に形成された光素子３１を有する。光素子３１は、例えば発光ダイオード等から構成される発光素子３１ａと、フォトダイオード等から構成される受光素子３１ｂと、から構成される。発光素子３１ａおよび受光素子３１ｂは、結合部２５の先端の両側にそれぞれ配置される。また、光素子３１は、光コネクタ２および光レセプタクル３が結合状態のとき、光ファイバ１２と光学的に結合されるように配置される。すなわち、発光素子３１ａから発せられた光が光ファイバ１２に入射するとともに、光ファイバ１２から発せられた光が受光素子３１ｂに入射されるように、それぞれが配置される。
【００２６】
光素子３１は、図１のＩＩ−ＩＩ線に沿った断面図である図２に示すように、導電性の第１接続端子３２上にそれぞれ配置される。光素子３１は、裏面におい第１接続端子３２と電気的に接続される。第１接続端子３２は、接続部３２ａおよび３２ｂを含む。接続部３２ａは、第１接続端子３２と例えば一体とされており、一部が、可動部２４の背面で露出される。また、光素子３１は、受光面および発光面の図示せぬ電極パッド、及びワイヤ３３により、接続部３２ｂと電気的に接続される。接続部３２ｂは、接続部３２ａと同様に、一部が可動部２４の背面で露出される。接続部３２ａは例えば光素子３１のグランド線と接続され、接続部３２ｂは例えば光素子３１の信号線および電源線と接続される。
【００２７】
図１（ａ）、（ｂ）に示すように、空隙部２６内に、導電性の第２接続端子３４ａ、ｂが設けられる。第２接続端子３４ａ、ｂは、例えば板バネにより構成され、一端が固定部２１に固定されている。第２接続端子３４ｂは、通常の状態で他端が接続部３２ｂと接触する。第２接続端子３４ａは、後述するように、光コネクタ２と光レセプタクル３が結合することにより可動部２４が押し込まれ、この結果、接続部３２ｂと接触するように設けられる。第２接続端子３４の他端は、図示せぬ配線等を介して、例えば受信回路、送信回路等を含む半導体チップ（図示せぬ）等と接続される。
【００２８】
図３は、図１に示す結合装置１が結合された状態を平面において概略的に示す断面図である。図３に示すように、光コネクタ２が光レセプタクル３と結合される際、光コネクタ２が可動部２４を押し込む。この結果、接続部３２ａが第２接続端子３４ａと接触することにより光素子３１の信号の電流経路が形成されるとともに、光ファイバ１２と光素子３１とが光学的に結合される。一方、光コネクタ２が光レセプタクル３から離脱されることにより、第２接続端子３４ｂが可動部２４を図１に示す通常の位置へと付勢する。したがって、第２接続端子３４ｂは、可動部２４が押し込まれた結果、接続部３２ａと第２接続端子３４ａとが接触する方向と同一の方向に弾性変形するように、配置される。
【００２９】
なお、内部空間２３および可動部２４の形状は、上記した形状に限られず、可動部２４が、上記動作を行うような形状であればよい。
【００３０】
また、光素子３１は、受光面および発光面が必ずしも光コネクタ２が挿入される方向と垂直に位置する必要は無い。すなわち、例えば、受光面および発光面を結合部２５を形成する辺と平行としてもよい。この場合、光ファイバ１２は光素子３１と光学的に結合されるように配置される。
【００３１】
また、第２接続端子３４ｂを、接続部３２ｂとの間で電流経路を形成するような端子としたが、これに限られない。すなわち、第２接続端子３４ｂを、スプリング、板バネ等の単なる弾性部材とすることができる。この場合、可動部２４が押し込まれることによって、信号線および電源線、グランド線等が電気的に接続されるように、光素子３１、第１接続端子３２、第２接続端子３４の位置が決定される。
【００３２】
各結合部１１および２５の先端の角度θ１、θ２を１２０°としたがこれに限られない。また、例えば、角度θ１を１２０°より若干小さい１２０−α°とし、角度θ２を１２０°より若干大きい１２０＋β°としてもよい。さらに、この関係を逆とし、角度θ１を１２０＋α°、角度θ２を１２０−β°とすることも可能である。すなわち、結合時に各先端部の位置が一致することにより、光ファイバ１２と光素子３１とが光学的に結合されればよい。
【００３３】
第１の実施形態に係る結合装置によれば、光レセプタクル３において、光コネクタ２と結合される部分を可動とし、結合素子１が結合される際に、可動部２４が押し込まれるようにしている。可動部２４が押し込まれた結果、接続部３２ａと第２接続端子３４ａが接触し、光素子３１への電源および信号の供給経路が形成される。すなわち、光コネクタ２と光レセプタクル３との非結合状態時には、光素子３１には、電源および信号が供給されない。このため、非結合状態における結合装置１の消費電力を零にすることができる。
【００３４】
また、光コネクタ２の結合部１１を凸形状とし、光レセプタクル３の結合部２５を結合部１１と略同一の凹形状とし、これら結合部１１、２５により、結合装置１の結合時の位置合わせを行う。すなわち、各結合部１１、２５の先端部により、自己的に位置合わせが行われる。したがって、結合部１１、２５を適宜加工するのみにより、位置合わせを実現できるため、従来のように多くの部品を用いる必要がない。よって、結合装置１の製造コストを低減化できる。
【００３５】
また、発光素子３１ａおよび受光素子３１ｂは、結合部２５の先端を中心とした両側に配置される。こうすることによって、発光素子３１ａから発光され、可動部２４の端部で乱反射された光が受光素子３１ｂに入射することを防ぐことができる。したがって、発光素子３１ａおよび受光素子３１ｂの間に、乱反射を防止する部材を特に設けることなく、光レセプタクル３の誤動作を防止できる。さらに、発光素子３１ａと受光素子３１ｂとの間隔を小さくすることができるため、結合装置１を小型化できる。なお、結合部２５の先端を可動部２４の背面により近づけることにより、乱反射によって光が受光素子３１ｂに謝って入射することを防ぐことができる。
【００３６】
（第２の実施形態）
図４は、本発明の第２の実施形態に係る結合装置を平面において概略的に示す断面図である。第２の実施形態は、第１の実施形態を変更したものである。
【００３７】
図４に示すように、光レセプタクル３の可動部２４は、結合部２５において切り欠け部４１を有する。この切り欠け部４１は、結合装置１が結合されているときの光ファイバ１２の先端の位置に対応する位置に設けられる。その他の構成については、第１の実施形態と同様である。
【００３８】
第２の実施形態に係る結合装置によれば、第１の実施形態と同様の効果を得られる。さらに、第２の実施形態では、結合部２５に切り欠け部４１を設けているため、結合素子１が着脱される際に、光ファイバ１２の先端が傷ついたり、欠けたりすることを防止できる。
【００３９】
（第３の実施形態）
図５は、本発明の第３の実施形態に係る結合装置を平面において概略的に示す断面図である。第３の実施形態は、第１の実施形態を変更したものである。第１の実施形態では、光コネクタ２の結合部１１の全面に角度を持たせる。これに対し、第３の実施形態では、結合部１１の一部、例えば中央近傍に角度を持たせる。
【００４０】
図５に示すように、光コネクタ２の結合部１１は、平坦とされており、中央近傍に所定の角度を有する突起部５１が形成される。したがって、可動部２４の結合部２５も、光コネクタ２の結合部１１と略同一の形状を有する。
【００４１】
第３の実施形態に係る結合装置によれば、第１の実施形態と同様の効果を得られる。さらに、第３の実施形態では、各結合部１１および２５の一部に角度を持たせており、その他の部分は、平坦とされている。このため、第１、第２の実施形態では、光ファイバ１２または発光素子３１ａから発せられた光が、多少斜めになる恐れがあるが、第３の実施形態では、これを防止できる。したがって、光の授受を効率的に行うことができる。また、光ファイバ１２の先端が平坦であるため、図１の実施形態に比べ、加工が容易となる利点を有する。
【００４２】
（第４の実施形態）
図６（ａ）は、本発明の第４の実施形態に係る結合装置を平面において概略的に示す断面図であり、図６（ｂ）は図６（ａ）のＶＩＢ−ＶＩＢ線に沿った断面図である。第４の実施形態は、第３の実施形態を変更したものである。第３の実施形態では、結合部１１において、突起部５１が垂直方向の一部にのみ形成される。
【００４３】
図６（ａ）に示すように、突起部５１は、図５に示す突起部５１と同様に、結合部１１の略中央に設けられる。また、図６（ｂ）に示すように、突起部５１は、垂直方向において、例えば光ファイバ１２の上方の一部にのみ設けられる。しかしながら、これに限らず、例えば光ファイバ１２の下方のみ、または上方、下方の両方に設けても良い。可動部２４の結合部２５は、突起部５１の形状に合わせて、略同一の形状とされる。
【００４４】
第４の実施形態に係る結合装置によれば、第１、３の実施形態と同様の効果を得られる。
【００４５】
（第５の実施形態）
図７は、本発明の第５の実施形態に係る結合装置を平面において概略的に示す断面図である。第５の実施形態は、第１の実施形態を変更したものである。
【００４６】
図７に示すように、光コネクタ２は、結合部１１において、両端の一部に角度を持たせ、その他の部分は平坦とされる。角度を有する部分は、図７に点線で示すように、仮想線が例えば図１と同様となる角度とされる。可動部２４の結合部２５は、光コネクタ２の結合部１１と略同一の形状を有する。または、結合部２５は、図１を同様の形状とされていてもよい。
【００４７】
第５の実施形態に係る結合装置によれば、第１、３の実施形態と同様の効果を得られる。しかしながら、可動部２４の結合部２５が平坦となっているため、発光素子３１ａと受光素子３１ｂとの間で干渉が発生する恐れがある。したがって、可動部２４において、光素子３１相互間に遮光部材等を設ける必要がある。
【００４８】
その他、本発明の思想の範疇において、当業者であれば、各種の変更例及び修正例に想到し得るものであり、それら変更例及び修正例についても本発明の範囲に属するものと了解される。
【００４９】
【発明の効果】
以上、詳述したように本発明によれば、小型かつ低価格で高い結合精度を維持するとともに、非結合時の消費電力を大幅に低減可能な光レセプタクルおよび結合装置を提供できる。
【図面の簡単な説明】
【図１】本発明の第１の実施形態に係る結合装置を概略的に示す図。
【図２】図１の結合装置の可動部を概略的に示す図。
【図３】図１の結合装置が結合された状態を概略的に示す図。
【図４】本発明の第２の実施形態に係る結合装置を概略的に示す図。
【図５】本発明の第３の実施形態に係る結合装置を概略的に示す図。
【図６】本発明の第４の実施形態に係る結合装置を概略的に示す図。
【図７】本発明の第５の実施形態に係る結合装置を概略的に示す図。
【図８】結合装置の第１の従来例を概略的に示す図。
【図９】結合装置の第２の従来例を概略的に示す図。
【図１０】結合装置の第３の従来例を概略的に示す図。
【図１１】結合装置の第４の従来例を概略的に示す図。
【符号の説明】
１…結合装置、
２…光コネクタ、
３…光レセプタクル、
１１、２５…結合部、
１２…光ファイバ、
２１…固定部、
２２…開口部、
２３…内部空間、
２４…可動部、
２６…空隙、
３１ａ…発光素子、
３１ｂ…受光素子、
３２ａ、３２ｂ…第１接続端子、
３３…ワイヤ、
３４ａ、ｂ…第２接続端子。
【図１】
0003788947.tif 000002
【図２】
0003788947.tif 000003
【図３】
0003788947.tif 000004
【図４】
0003788947.tif 000005
【図５】
0003788947.tif 000006
【図６】
0003788947.tif 000007
【図７】
0003788947.tif 000008
【図８】
0003788947.tif 000009
【図９】
0003788947.tif 000010
【図１０】
0003788947.tif 000011
【図１１】
0003788947.tif 000012